(57)【要約】【課題】表示画面の中央部分の輝度を向上させるとともに、周辺部分の輝度低下を補正し、表示画面の輝度均一性を一層向上させることが可能な表示装置用照明装置を提供する。【解決手段】本発明の表示装置用照明装置は、並列配置された複数の管状光源１７と、前記管状光源１７の光出射側に配設された光拡散板１５と、前記管状光源１７の光出射側と反対側に配設された光反射面１４ａとを備え、前記光反射面１４ａは、前記並列配置された管状光源１７のうち配列端部１７ａ側の下方において、前記光拡散板１５側に指向する傾斜面１４ｂを有したすり鉢状に形成されるとともに、前記並列配置された管状光源１７は、それぞれ前記すり鉢状の光反射面１４ａに沿って並んでいることを特徴とする。【選択図】図２
2008129199.tif 000002
【特許請求の範囲】
【請求項１】
並列配置された複数の管状光源と、
前記管状光源の光出射側に配設された光拡散板と、
前記管状光源の光出射側と反対側に配設された光反射面とを備え、
前記光反射面は、前記並列配置された管状光源のうち配列端部側の下方において、前記光拡散板側に指向する傾斜面を有して形成されるとともに、
前記並列配置された管状光源は、それぞれ少なくとも前記光反射面の前記傾斜面に沿って並んでいることを特徴とする表示装置用照明装置。
【請求項２】
前記光反射面が、前記並列配置された管状光源の配列中央部側に反射光を集光すべく、当該配列中央部側に指向した傾斜面を備えることを特徴とする請求項１に記載の表示装置用照明装置。
【請求項３】
前記光反射面が、湾曲面にて構成されていることを特徴とする請求項１又は２に記載の表示装置用照明装置。
【請求項４】
前記並列配置された管状光源は、それぞれ前記光反射面の傾斜面に対して平行に並んでいることを特徴とする請求項１ないし３のいずれか１項に記載の表示装置用照明装置。
【請求項５】
前記並列配置された管状光源は、それぞれ前記光反射面との距離が等しくされていることを特徴とする請求項１ないし４のいずれか１項に記載の表示装置用照明装置。
【請求項６】
前記管状光源の配列間隔が、その配列中央部側において、配列端部側よりも狭くされていることを特徴とする請求項１ないし５のいずれか１項に記載の表示装置用照明装置。
【請求項７】
前記光反射面は、前記管状光源の配列端部側において配列中央部側よりも、前記光拡散板との距離が小さくされていることを特徴とする請求項１ないし６のいずれか１項に記載の表示装置用照明装置。
【請求項８】
前記並列配置された管状光源は、クリップ状の光源保持部材により保持されており、当該光源保持部材は、前記光反射面を含むケース部材に対して取り付けられていることを特徴とする請求項１ないし７のいずれか１項に記載の表示装置用照明装置。
【請求項９】
前記光源保持部材は、前記管状光源の各々に対して等しい高さを有することを特徴とする請求項８に記載の表示装置用照明装置。
【請求項１０】
前記光源保持部材は、前記光反射面の傾斜面上に、当該傾斜面に対して垂直に交わるように取り付けられていることを特徴とする請求項８又は９に記載の表示装置用照明装置。
【請求項１１】
前記光反射面は、光反射性の板部材を折り曲げて形成されたものであることを特徴とする請求項１ないし１０のいずれか１項に記載の表示装置用照明装置。
【請求項１２】
前記光反射性の板部材を折り曲げて形成した光反射面の裏面側に、前記管状光源の駆動制御を行うインバータ基板が配設されていることを特徴とする請求項１１に記載の表示装置用照明装置。
【請求項１３】
前記光反射性の板部材を折り曲げて形成した光反射面の裏面側に、前記管状光源の駆動制御を行うコントロール基板が配設されていることを特徴とする請求項１１又は１２に記載の表示装置用照明装置。
【請求項１４】
請求項１ないし１３のいずれか１項に記載の表示装置用照明装置と、
前記表示装置用照明装置からの光を利用して表示を行う表示パネルと、を備えることを特徴とする表示装置。
【請求項１５】
前記表示パネルが液晶を用いた液晶パネルであることを特徴とする請求項１４に記載の表示装置。
【発明の詳細な説明】
【技術分野】
【０００１】
本発明は、表示装置用照明装置、及びそれを用いた表示装置に関する。
【背景技術】
【０００２】
液晶表示装置に代表される非発光型の光学素子を用いた表示装置においては、液晶パネル等の表示パネルに対して光を照射すべく、当該表示パネルの背面にはバックライトユニットが設けられている（例えば特許文献１参照）。
【特許文献１】特開２００５−３４７０６２公報
【発明の開示】
【発明が解決しようとする課題】
【０００３】
特許文献１に開示されたバックライトユニットにおいては、表示画面中央部分の輝度を向上させ、かつ表示画面周辺部分に輝度低下を補正し、表示画面の輝度均一性を維持させることを目的とした技術が開示されている。
具体的には、複数の冷陰極蛍光ランプの配列間隔が表示パネルの表示画面中央部に対応する中央部分で当該表示画面周辺部に対応する周辺部分よりも狭くして設置され、且つ複数の冷陰極蛍光ランプと拡散板との間の間隔が中央部分で周辺部分よりも広くして設置されたバックライト装置に関する技術が開示されている。
【０００４】
しかしながら、このような特許文献１に開示された技術を用いたとしても輝度均一性は十分ではなく、更なる向上が望まれている。本発明は、このような背景に基づいてなされたものであって、表示画面の中央部分の輝度を向上させるとともに、周辺部分の輝度低下を補正し、表示画面の輝度均一性を一層向上させることが可能な表示装置用照明装置を提供することを目的としている。また、本発明は、そのような表示装置用照明装置を用いた高輝度で高画質の表示装置を提供することを目的としている。
【課題を解決するための手段】
【０００５】
上記課題を解決するために、本発明の表示装置用照明装置は、並列配置された複数の管状光源と、前記管状光源の光出射側に配設された光拡散板と、前記管状光源の光出射側と反対側に配設された光反射面とを備え、前記光反射面は、前記並列配置された管状光源のうち配列端部側の下方において、前記光拡散板側に指向する傾斜面を有して形成されるとともに、前記並列配置された管状光源は、それぞれ少なくとも前記光反射面の前記傾斜面に沿って並んでいることを特徴とする。
【０００６】
このような表示装置用照明装置によると、管状光源の配列端部側の下方において傾斜面を有した形状の光反射面を備え、各管状光源が、光反射面に沿って並んでいる（つまり、管状光源の並列方向（言い換えると各管状光源の軸の並ぶ方向）が光反射面の傾斜に沿っている）ため、管状光源において光拡散板の板面と平行な方向に出射された光が、上記光反射面の傾斜により光拡散板側に反射するため、輝度を向上させ且つ輝度ムラの発生を抑えることが可能となる。
具体的には、光反射面が傾斜を備えない場合、各管状光源から光拡散板の板面と平行な方向に出射された各光は、光拡散板に入射して、当該光拡散板から出射されることはないが、本発明のように光反射面に光拡散板側に指向する傾斜面を具備させることで、光拡散板側に光を指向させて有効に利用し、当該照明装置による照明輝度を向上させることが可能となる。
また、光反射面を傾斜させたとしても、例えば仮に各管状光源の並列方向を光拡散板と平行にする場合、各管状光源から光拡散板の板面と平行な方向に出射された各光は、光反射面の傾斜面の略一箇所で集中して反射し、その反射光が光拡散板の略一箇所に集中して入射するものとなるが、本発明の場合、光反射面の傾斜面に沿って管状光源が並列してなるため、各管状光源から光拡散板の板面と平行な方向に出射された各光は、光反射面の傾斜面のそれぞれ異なる位置で反射し、その各反射光が光拡散板に分散して入射することとなるのである。したがって、光の利用効率が高まり、光が好適に分散されることにより輝度ムラが生じ難いものとなるのである。
さらに、本発明では、各管状光源の配列端部側の下方において光反射面に傾斜面を形成したため、例えば中央部の輝度向上のために中央部の各管状光源の配列間隔を小さくする一方、コスト削減のために端部側の各管状光源の配列間隔を大きくしたような場合にも、周辺部における輝度低下によるランプイメージの形成が防止ないし抑制され、より均一な光を照射することが可能となる。
なお、本発明の表示装置用照明装置における「傾斜面」は直線状の斜面の他、曲面をも含むものとして用いている。また、管状光源の並列配置とは、当該表示装置用照明装置の平面視（光出射側から見た場合）に対して並列配置されたものを意味し、側面視（光出射側と交わる側面から見た場合）は上述の通り光反射面に沿って配列している。
【０００７】
本発明の表示装置用照明装置において、前記光反射面が、前記並列配置された管状光源の配列中央部側に反射光を集光すべく、当該配列中央部側に指向した傾斜面を備えるものとすることができる。
この場合、配列中央部側（つまり当該表示装置用照明装置の中央部側）に反射光を好適に集光させることが可能となるため、上述した効果に加えて、中央部分の輝度を一層向上させることが可能となる。
【０００８】
また、前記光反射面が、湾曲面にて構成されているものとすることができる。
この場合、当該湾曲の光反射面により照明光を好適に集光させることが可能となり、ひいては中央部分の輝度を向上させ、且つ端部分の輝度低下を補正し、輝度均一性を一層向上させることが可能となる。なお、この場合、各管状光源は当該湾曲面に沿って配列され、つまり各管状光源の軸が湾曲面に沿って配列されることとなる。
【０００９】
前記並列配置された管状光源は、それぞれ前記光反射面の傾斜面に対して平行に並んでいるものとすることができる。
この場合も、傾斜面に平行に配列された各管状光源から出射される光が、光反射面で反射され、光拡散板側に好適に指向されることとなる。特に傾斜面と平行配列とすることで、光反射面に対してより均一に光が入射し、当該光反射面から反射される光も光拡散板の広い範囲に入射することとなり、輝度ムラが一層生じ難いものとなる。
【００１０】
前記並列配置された管状光源は、それぞれ前記光反射面との距離が等しくされているものとすることができる。
このように光反射面との距離を等しくすることで輝度を一層向上させることが可能となる。なお、管状光源と光反射面との距離が等しいとは、管状光源と傾斜面との距離が等しいことは勿論、当該傾斜面以外の部分においても、当該管状光源と光反射面とは距離が等しいものを意味している。
【００１１】
前記管状光源の配列間隔が、その配列中央部側において、配列端部側よりも狭くされているものとすることができる。
この場合、中央部側において輝度を向上させることが可能となる。一方、端部側においても、配列間隔を広くした分、輝度ムラが生じ、ランプイメージが視認され得るが、本発明では光反射板に傾斜面を儲け、管状光源の配列を当該傾斜面に沿う形としたため、そのような輝度ムラも生じ難く、輝度均一性に優れたものとなり、ランプイメージが視認される惧れも少ないものとなる。
【００１２】
前記光反射面は、前記管状光源の配列端部側において配列中央部側よりも、前記光拡散板との距離が小さくされているものとすることができる。
このように配列端部側において光反射面と光拡散板との距離を小さくすることで、当該配列端部側における輝度低下を防止ないし抑制することが可能となる。特に、上述のように管状光源の配列間隔に広狭を設ける場合には、その輝度低下抑制効果が一層顕著なものとなり得る。
【００１３】
前記並列配置された管状光源は、クリップ状の光源保持部材により保持されており、当該光源保持部材は、前記光反射面を含むケース部材に対して取り付けられているものとすることができる。
この場合、管状光源を好適に配設することが可能となり、例えば管状光源の配列についても当該光源保持部材の配置によって設計することが可能となるため、当該配列に係る手間を簡便化させることが可能となる。
【００１４】
前記光源保持部材は、前記管状光源の各々に対して等しい高さを有するものとすることができる。
この場合、管状光源と光反射面との距離を容易に等しくすることが可能となる。つまり、光源保持部材が等しい高さを有していれば、ケース部材への取り付け態様を各々同様にするのみで、上記管状光源と光反射面との距離を等しくすることができるのである。
【００１５】
前記光源保持部材は、前記光反射面の傾斜面上に、当該傾斜面に対して垂直に交わるように取り付けられているものとすることができる。
このように傾斜面に対して垂直に交わるように取り付けることで、当該光源保持部材の高さに基づいて管状光源と光反射面との距離を設計することが可能となる。
【００１６】
前記光反射面は、光反射性の板部材を折り曲げて形成することができる。
この場合、光反射面の形成が容易となり、コスト削減に寄与することが可能となる。
【００１７】
また特に前記光反射性の板部材を折り曲げて形成した光反射面の裏面側に、前記管状光源の駆動制御を行うインバータ基板が配設されてなるものとすることができる。
板部材を折り曲げて光反射面を形成すると、傾斜面の裏側（下方）には所定のスペースが出来うる。そこで、そのスペースに対して光源駆動用のインバータ基板を配設するものとすれば、スペースの有効利用を実現することができるようになる。
【００１８】
或いは、前記光反射性の板部材を折り曲げて形成した光反射面の裏面側に、前記管状光源の駆動制御を行うコントロール基板が配設されてなるものとすることができる。
板部材を折り曲げて光反射面を形成すると、傾斜面の裏側（下方）には所定のスペースが出来うる。そこで、そのスペースに対して光源駆動用のインバータ基板を配設するものとすれば、スペースの有効利用を実現することができるようになる。
【００１９】
次に、上記課題を解決するために、本発明の表示装置は、上記表示装置用照明装置と、前記表示装置用照明装置からの光を利用して表示を行う表示パネルと、を備えることを特徴とする。
【００２０】
このような表示装置によると、表示パネルに対して光を供給する表示装置用照明装置が、表示パネルの中央部分の輝度を向上させ、周辺部分の輝度低下を補正し、表示画面の輝度均一性を向上させることが可能とされているため、表示画面において特に中央部分の輝度向上、画面全体の輝度均一化を図ることが可能となる。
【００２１】
前記表示パネルとしては液晶パネルを例示することができる。このような表示装置は液晶表示装置として、種々の用途、例えばテレビやパソコンのデスクトップ画面等に適用でき、特に大型画面用として好適である。
【発明の効果】
【００２２】
本発明によると、表示画面の中央部分の輝度を向上させ、周辺部分の輝度低下を補正し、表示画面の輝度均一性を向上させることが可能な表示装置用照明装置と、それを用いた高輝度で高画質の表示装置を提供することが可能となる。
【発明を実施するための最良の形態】
【００２３】
以下、本発明を具体化した実施形態について、図１〜図５を参照しつつ説明する。
図１は本発明の実施形態に係る液晶表示装置の概略構成を示す分解斜視図、図２は同じく液晶表示装置の概略構成を示す断面図、図３はランプクリップの概略構成を示す正面図、である。また、図４及び図５は液晶表示装置の一変形例を示す断面図である。
【００２４】
まず、液晶表示装置１０の全体構成について説明する。液晶表示装置１０は、図１及び図２に示すように、矩形をなす液晶パネル１１と、外部光源であるバックライト装置１２とを備え、これらがベゼル１３などにより一体的に保持されるようになっている。このうち、液晶パネル１１は、一対のガラス基板が所定のギャップを空けた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ，Ｇ，Ｂ等の各色からなるカラーフィルタ等が設けられている。
【００２５】
次に、バックライト装置１２について説明する。バックライト装置１２は、上面側が開口した略箱型をなす金属製のベース（ケース部材）１４と、ベース１４の開口部を覆うようにして取り付けられる複数の光学部材１５（図示下側から順に拡散板、拡散シート、レンズシート、光学シート）と、これら光学部材１５をベース１４に保持するためのフレーム１６と、ベース１４内に収容されるランプである冷陰極管（管状光源）１７と、冷陰極管１７群を一括して覆うランプホルダ１９と、冷陰極管１７における両端部を除いた途中の部分を保持するためのランプクリップ２０とを備える。なお、当該バックライト装置１２においては、冷陰極管１７よりも光学部材１５側が光出射側となっている。
【００２６】
略箱型のベース１４は、その箱底部が湾曲状に構成され、所謂すり鉢状に構成されている。そして、そのベース１４の内面側（光源側）には光反射シートにより反射面１４ａが形成され、当該反射面１４ａにより、冷陰極管１７から出射された光を拡散板等の光学部材１５（以下、拡散板１５等とも言う）側に反射させることが可能となっている。
【００２７】
特に、本実施形態では、ベース１４の形状に伴って反射面１４ａが湾曲面をなし、その湾曲面が拡散板１５等の中央（表示画面の中央）を指向してなることから、反射光は拡散板１５等の中央（表示画面の中央）に集光されるものとなっている。つまり、反射面１４ａは、拡散板１５等に指向する傾斜面（当該傾斜面は湾曲面を含む）１４ｂを少なくとも有したすり鉢状に形成され、その傾斜面１４ｂに基づいて反射光の集光が生じるものとされている。
【００２８】
冷陰極管１７は、一方向に細長い管状をなしており、その長さ方向（軸線方向）をベース１４の長辺方向に一致させた状態で、且つ多数本（図１では１８本）互いに平行に並んだ状態（並列配置した状態）でベース１４内に収容されるようになっている。一方、冷陰極管１７の軸の配列方向（図２の断面図で示す冷陰極管１７の配列方向）は、ベース１４の湾曲面（つまり反射シート１４ａの反射面）に沿って並んでいる。
【００２９】
また、平面視において並列配置された冷陰極管１７のうち、少なくとも配列の端部１７ａ側の下方においては、ベース１４の内面に形成された反射面１４ａは、拡散板１５側に指向する傾斜面（当該傾斜面は湾曲面を含む）１４ｂを有したすり鉢状に形成されている。そして、平面視において並列配置された冷陰極管１７は、それぞれすり鉢状の反射面（光反射面）１４ａに沿って並んでおり、それにより拡散板１５等の中央側、言い換えると平面視において並列配置された冷陰極管１７の配列の中央部１７ｂ側に反射光が集光されるものとなっている。
【００３０】
このようにベース１４の反射面１４ａは、平面視において並列配置された冷陰極管１７の配列中央部１７ｂ側に反射光を集光すべく、当該配列中央部１７ｂ側に指向した傾斜面１４ｂを備え、一方、冷陰極管１７の軸の配列方向は、図２に示したようにそれぞれ反射面１４ａの傾斜面１４ｂに対して平行に並んでいる。したがって、各冷陰極管１７は、それぞれ反射面１４ａとの距離が等しくされ、特に本実施形態では反射面１４ａの湾曲形状に沿って、当該反射面１４ａから等距離で配設されている。なお、このような構成により、反射面１４ａの拡散板１５等との距離は、冷陰極管１７の配列端部１７ａ側において配列中央部１７ｂ側よりも小さく構成されている。
【００３１】
また、冷陰極管１７は、その配列間隔が表示画面の中央部分で、同表示画面の端部部分よりも狭く設定されている。つまり、冷陰極管１７の配列間隔は、その配列中央部１７ｂ側において、配列端部１７ａ側よりも狭くされており、これにより中央部における輝度向上が実現されている。
【００３２】
一方、ランプクリップ２０は光源保持部材として機能し、合成樹脂製（例えばポリカーボネート製）とされており、図３に示すように、ベース１４の底部の壁面に宛われる取付板２１を備え、この取付板２１に係止部２２、ランプ保持部２３等を設けた構成とされている。ランプクリップ２０は、各冷陰極管１７を長さ方向に異なる２箇所または３箇所で保持できるよう、ベース１４に対して複数取り付けられるようになっている。各ランプクリップ２０は、冷陰極管１７の各々に対して等しい高さを有し、当該ランプクリップ２０の高さによって、冷陰極管１７の軸配列が決定付けられている。なお、ランプクリップ２０は、その軸線が反射面１４ａに対して垂直に交わるように配設されており、特に反射面１４ａの傾斜面１４ｂ上においては、当該傾斜面１４ｂに対して垂直に交わるように取り付けられている。
【００３３】
また、ランプクリップ２０の取付板２１は、ベース１４の短辺方向（冷陰極管１７の長さ方向と直交する方向）に沿って細長い矩形に形成されている。取付板２１の下面（ベース１４との対向面、ベース１４に対する被着面）には、図３に示すように、ランプクリップ２０をベース１４に対して固定するための係止部２２が下方（ベース１４側）へ突出して設けられている。
【００３４】
係止部２２は、取付板２１の下面から垂設された基部２５と、基部２５の先端部から斜め上方へ向けて延出する一対の弾性係止片２６とから構成される。両弾性係止片２６は、基部２５の先端部両側面に連結された片持ち状に形成され、その連結部分を支点として基部２５に対して接離する方向に沿って弾性変形可能とされる。この係止部２２は、ベース１４における対応位置に貫通して設けられた各取付孔１４ａに対して挿入可能とされるとともに、弾性係止片２６における先端部に形成された段部が取付孔１４ａにおける裏側の周縁に対して係止可能とされ、ここがベース１４に対する係止面２６ａとなっている。
【００３５】
取付板２１の上面（冷陰極管１７との対向面、ベース１４の開口部側の面）には、冷陰極管１７のうち長さ方向両端部を除いた途中部分を保持するためのランプ保持部２３が上方へ突出して設けられている。ランプ保持部２３は、全体として冷陰極管１７の周面を取り囲むことが可能で、且つ冷陰極管１７の着脱を許容すべく上方へ開口した有端環状に形成されている。また取付板２１の下面には、取り付け時にベース１４の上面に対して当接可能な当接部３５，３６が下方へ突出して設けられている。
【００３６】
本実施形態の液晶表示装置は以上のような構成であり、続いてその作用及び効果を説明する。
まず、本実施形態の液晶表示装置１０では、バックライト装置１２において、複数の冷陰極管１７が平面視（表示画面側から見た場合）において並列配置されており、ベース１４に形成された光反射面１４ａが、図２に示したように、並列配置された冷陰極管１７のうち配列の端部１７ａ側の下方において、光拡散板１５等側に指向する傾斜面１４ｂを有したすり鉢状に形成されている。そして、並列配置された冷陰極管１７は、それぞれすり鉢状の光反射面１４ａに沿って並んでいる。
【００３７】
したがって、冷陰極管１７において光拡散板１５等の板面と平行な方向に出射された光が、光反射面１４ａの傾斜面１４ｂにより光拡散板１５等側に向けて反射するため、輝度を向上させ且つ輝度ムラの発生を抑えることが可能となる。具体的には、本実施形態では光反射面１４ａに光拡散板１５等側に指向する傾斜面１４ｂを具備させているため、光拡散板１５等側に反射光を指向（集光）させて有効に利用し、当該バックライト装置１２による照明輝度を向上させることが可能とされている。
【００３８】
また、本実施形態では、光反射面１４ａの傾斜面１４ｂに沿って冷陰極管１７が並列してなるため、各冷陰極管１７から光拡散板１５等の板面と平行な方向に出射された各光は互いに重なることはなく、光反射面１４ａの傾斜面１４ｂのそれぞれ異なる位置で反射し、その各反射光が光拡散板１５等側に分散して入射することとなる。したがって、光の利用効率が高まり、光が好適に分散されることにより輝度ムラが生じ難いものとなる。
【００３９】
さらに、本実施形態では、各冷陰極管１７の配列の端部１７ａ側の下方において光反射面１４ａに傾斜面１４ｂを形成したため、中央部の輝度向上のために配列中央部１７ｂ側の各冷陰極管１７の配列間隔を小さくする一方、コスト削減のために配列端部１７ａ側の各冷陰極管１７の配列間隔を大きくいているにもかかわらず、ランプイメージの形成が防止ないし抑制され、より均一な光を照射することが可能とされている。
【００４０】
次に、本実施形態の液晶表示装置１０では、光反射面１４ａにおいて、平面視において並列に配置された冷陰極管１７の配列の中央部１７ｂ側に反射光を集光すべく、当該配列の中央部１７ｂ側に指向した傾斜面１４ｂが形成されている。したがって、冷陰極管１７の配列の中央部１７ｂ側（つまりバックライト装置１２の中央部側）に反射光を好適に集光させることが可能となり、当該中央部分の輝度を一層向上させることが可能となっている。
【００４１】
また、特に光反射面１４ａの傾斜面１４ｂは湾曲面にて構成されているため、当該湾曲面によって照明光の反射光を好適に中央部側に集光させることが可能とされている。したがって、中央部分の輝度を向上させ、且つ端部分の輝度低下を補正し、輝度均一性を一層向上させることが可能となっている。
【００４２】
また、特に並列配置された冷陰極管１７は、それぞれ光反射面１４ａの傾斜面（湾曲面）１４ｂに対して平行に並んでいるため、当該傾斜面１４ｂに平行に配列された各冷陰極管１７から出射される光は、互いに重なり合うことなく光反射面１４ａで反射されることとなる。その結果、当該反射光は光拡散板１５等の広い範囲に入射されることとなり、輝度ムラが生じ難いものとなる。
【００４３】
次に、本実施形態の液晶表示装置１０においては、冷陰極管１７の配列間隔が、その配列の中央部１７ｂ側（表示画面中央部側）において、配列の端部１７ａ側（表示画面端部側）よりも狭くされているため、中央部１７ｂ側（表示画面中央部側）において輝度向上が図られている。一方で、端部１７ａ側においても、配列間隔を広くした分、輝度ムラが生じ易くなり得るが、本実施形態では光反射板１４ａに傾斜面（湾曲面）１４ｂを儲け、冷陰極管１７の配列方向（軸の配列方向）を当該傾斜面１４ｂに沿う形としたため、上述の通り輝度ムラが生じ難いものとなっている。
【００４４】
また、本実施形態の液晶表示装置１０においては、冷陰極管１７の配列の端部１７ａ側において配列の中央部１７ｂ側よりも、光反射面１４ａと光拡散板１５等との距離を小さくして、当該配列の端部１７ａ側における輝度低下を防止ないし抑制している。したがって、本実施形態のように冷陰極管１７の配列間隔に広狭を設ける場合においても、その端部における輝度低下を効果的に抑制することが可能となっている。
【００４５】
また、本実施形態の液晶表示装置１０においては、冷陰極管１７がランプクリップ２０により保持されており、当該ランプクリップ２０は、光反射面１４ａを含むベース１４に対して取り付けられている。また、各ランプクリップ２０はそれぞれ同一高さにて構成され、光反射面１４ａの傾斜面（湾曲面）１４ｂ上に、当該傾斜面１４ｂに対して垂直に交わるように取り付けられている。これにより、ランプクリップ２０の構成次第で、冷陰極管１７と光反射面１４ａとの距離を容易に等しくすることができるものとされている。
【００４６】
以上、本発明に係る実施の形態を示したが、本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４７】
図４は、液晶表示装置の一変形例を示す断面模式図である。なお、図４において、図２に示した液晶表示装置１０と同様の構成部材については、同一の符号を付し、説明を省略するものとする。
この液晶表示装置１００においては、バックライト装置１２のベース１４０が板部材を折り曲げて形成されたもので、例えば光反射性の金属板状部材からなるものである。なお、光反射性を有しない金属板状部材の内面に光反射シートを形成したものであっても良い。
【００４８】
ベース１４０は、光反射性の板状部材により内面に光反射面１４０ａが形成され、その折り曲げにより、傾斜面１４０ｂが形成されている。ここでは、光反射面１４０ａは湾曲面ではなく、傾斜面１４０ｂと底板面１４０ｃとを有して構成されている。そして、図１及び図２に示した液晶表示装置１０と同様に、光反射面１４０ａの傾斜面１４０ｂ及び底板面１４０ｃに沿って冷陰極管１７が配列されている。つまり、冷陰極管１７の軸配列方向が、光反射面１４０ａに沿って並んでいるものとされている。
【００４９】
このような液晶表示装置１００によると、図１及び図２に示した液晶表示装置１０のバックライト装置１２と同様に、輝度向上効果及び輝度ムラ防止効果を実現することが可能となる。さらに、板状部材を折り曲げることで光反射面１４０ａを構成しているため、当該光反射面１４０ａの形成が容易でコスト削減が図られている。
【００５０】
また、図５は、同じく液晶表示装置の一変形例を示す断面模式図である。なお、図５において、図４に示した液晶表示装置１００と同様の構成部材については、同一の符号を付し、説明を省略するものとする。
この液晶表示装置１０１においては、図４の液晶表示装置１００と同様、バックライト装置１２のベース１４０が板部材を折り曲げて形成されたもので、例えば光反射性の金属板状部材からなるものである。なお、光反射性を有しない金属板状部材の内面に光反射シートを形成したものであっても良い。
【００５１】
ベース１４０は、光反射性の板状部材により内面に光反射面１４０ａが形成され、その折り曲げにより、傾斜面１４０ｂが形成されている。ここでは、光反射面１４０ａは湾曲面ではなく、傾斜面１４０ｂと底板面１４０ｃとを有して構成されている。そして、図１及び図２に示した液晶表示装置１０と同様に、光反射面１４０ａの傾斜面１４０ｂ及び底板面１４０ｃに沿って冷陰極管１７が配列されている。つまり、冷陰極管１７の軸配列方向が、光反射面１４０ａに沿って並んでいるものとされている。
【００５２】
さらに、ベース１４０の裏面側（つまり光出射面とは反対側）には、傾斜面１４０ｂを形成すべく板状部材を折り曲げたことで形成される空間６０，６１に、冷陰極管１７に電源供給するインバータ基板５０や、当該バックライト装置１２の駆動制御を行うコントロール基板５１が配設されている。つまり、板状部材を折り曲げて形成した傾斜面１４０ｂの裏面側に、座面６０ａ，６１ａを形成し、当該座面６０ａ，６１ａ上に各基板５０，５１を配設するものとしている。
【００５３】
このような液晶表示装置１０１によると、図１及び図２に示した液晶表示装置１０及び図４に示した液晶表示装置１００のバックライト装置１２と同様に、輝度向上効果及び輝度ムラ防止効果を実現することが可能となる。また、板状部材を折り曲げることで光反射面１４０ａを構成しているため、当該光反射面１４０ａの形成が容易でコスト削減が図られている。さらに、板状部材を折り曲げて形成された傾斜面１４０ｂの裏面スペースに、インバータ基板５０やコントロール基板５１を配設することで、当該スペースの有効利用が実現されている。
【００５４】
以上のような変形例に加え、上記した実施形態では管状光源として冷陰極管１７を使用した場合を示したが、例えば熱陰極管など他の種類の管状光源を用いたものも本発明に含まれる。また、ランプクリップ２０について、複数の光源を一括して保持する構成としたが、個々の光源を別個に保持するクリップであっても良い。
【００５５】
その他、本発明は、ＴＦＴ以外のスイッチング素子を用いた液晶表示装置にも適用可能であり、カラー表示する液晶表示装置以外にも、白黒表示する液晶表示装置にも適用可能である。さらに、上記した実施形態では、液晶表示装置を示したが、液晶以外でバックライト装置を用いる他の表示装置にも本発明は適用可能である。
【図面の簡単な説明】
【００５６】
【図１】本発明の実施形態に係る液晶表示装置の概略構成を示す分解斜視図。
【図２】図１の液晶表示装置の断面図。
【図３】ランプクリップの概略構成を示す正面図。
【図４】液晶表示装置の一変形例を示す断面図。
【図５】液晶表示装置の一変形例を示す断面図。
【符号の説明】
【００５７】
１０…液晶表示装置（表示装置）、１１…液晶パネル（表示パネル）、１２…バックライト装置（表示装置用照明装置）、１４ａ…光反射面、１４ｂ…傾斜面（湾曲面）、１５…光学部材（光拡散板）、１７…冷陰極管（管状光源）、１７ａ…配列端部、１７ｂ…配列中央部
【図１】
2008129199.tif 000003
【図２】
2008129199.tif 000004
【図３】
2008129199.tif 000005
【図４】
2008129199.tif 000006
【図５】
2008129199.tif 000007